(57)【特許請求の範囲】
【請求項１】
相手側コネクタが前方から内部に進入可能なコネクタであって、
前記相手側コネクタが内部に進入可能な筒形状をなすフード部と、
前記フード部から前記フード部の外周面よりも拡径方向に突出し、内部に前記相手側コネクタの外周面に突設された相手側突起が進入可能な溝形状をなすガイド溝が設けられたガイド突部と、
前記ガイド突部から前記フード部の前端よりも前方に突出し、前記フード部の内周面から前方に向かって前記拡径方向に延びる延長テーパ面を有する突出テーパ部と、を備え、
前記突出テーパ部は、一対の突出側壁と、前記一対の突出側壁の端部同士を連結する連結壁と、を備え、
前記一対の突出側壁の前端に一対の前記延長テーパ面が設けられているコネクタ。
【請求項２】
相手側コネクタが前方から内部に進入可能なコネクタであって、
前記相手側コネクタが内部に進入可能な筒形状をなすフード部と、
前記フード部から前記フード部の外周面よりも拡径方向に突出し、内部に前記相手側コネクタの外周面に突設された相手側突起が進入可能な溝形状をなすガイド溝が設けられたガイド突部と、
前記ガイド突部から前記フード部の前端よりも前方に突出し、前記フード部の内周面から前方に向かって前記拡径方向に延びる延長テーパ面を有する突出テーパ部と、を備えるコネクタであって、
前記フード部から前記突出テーパ部の前端の位置またはそれよりも前方の位置まで突出する突出保護部をさらに備えるコネクタ。
【請求項３】
前記突出テーパ部には、外周面側が内周面側よりも前方に突出するテーパ形状をなす延長内周テーパ面が設けられている請求項１または請求項２に記載のコネクタ。
【発明の詳細な説明】
【技術分野】
【０００１】
本明細書に開示された技術は、コネクタに関する。
【背景技術】
【０００２】
従来、相手側コネクタのハウジングに嵌合するためのフード部を備えたコネクタとして、例えば特許文献１のものがある。このコネクタにおいては、略箱状をなす雌ハウジングにはリブが形成され、雄ハウジングは雌ハウジングが嵌合可能なフード部を備えている。フード部の外周面には奥行方向の全長に亘って外方に膨出させた形状のガイド溝が形成され、内周面からガイド溝にわたる孔縁にはテーパ状の誘い込み面が形成されている。誘い込み面のうち、第１誘い込み面はフード部の上下の各面に形成されたガイド溝と左右の各面に形成されたガイド溝に挟まれた部分に形成され、第２誘い込み面はガイド溝に形成されている。
【０００３】
雌ハウジングの雄ハウジングへの嵌合過程においては、雌ハウジングの前端が第１誘い込み面に当接してこの上を摺動することで雌ハウジングの雄ハウジングに対する芯ずれが矯正され、その後にリブがガイド溝に進入し第２誘い込み面の上を摺動することによって、雌雄の傾きが矯正される。
【先行技術文献】
【特許文献】
【０００４】
【特許文献１】特開２００３−１５１６８４号公報
【発明の概要】
【発明が解決しようとする課題】
【０００５】
しかしこの構成では、雌ハウジングの雄ハウジングに対する芯ずれを矯正する第１誘い込み面はフード部の板厚分しか形成することができないから、板厚の範囲内における芯ずれしか矯正できない。
【課題を解決するための手段】
【０００６】
本明細書に開示された技術に係るコネクタは、相手側コネクタが前方から内部に進入可能なコネクタであって、前記相手側コネクタが内部に進入可能な筒形状をなすフード部と、前記フード部から前記フード部の外周面よりも拡径方向に突出し、内部に前記相手側コネクタの外周面に突設された相手側突起が進入可能な溝形状をなすガイド溝が設けられたガイド突部と、前記ガイド突部から前記フード部の前端よりも前方に突出し、前記フード部の内周面から前方に向かって前記拡径方向に延びる延長テーパ面を有する突出テーパ部とを備える。
【０００７】
この構成によれば、相手側コネクタがフード部からフード部の板厚を超えてずれた位置からコネクタの内部に進入しようとした場合、フード部の外周面よりも拡径方向に突出する延長テーパ面に当接し、フード部側に誘い込まれる。従って、例えばテーパ面がフード部の前端における板厚の範囲内で設けられた場合よりも広い範囲に亘って相手側コネクタを誘い込むことができる。しかも、突出テーパ部は相手側突起が内部に進入可能なガイド溝が設けられたガイド突部から前方に突出した形態とされているから、コネクタを拡径方向に大型化する必要がない。
【０００８】
本明細書に開示された技術に係る実施態様として、次の構成が好ましい。
【０００９】
（１）前記突出テーパ部には、外周面側が内周面側よりも前方に突出するテーパ形状をなす延長内周テーパ面が設けられている。
【００１０】
この構成によれば、延長テーパ面によってフード部側に誘い込まれた相手側突起は、さらに延長内周テーパ面によって突出テーパ部の外周面側から内周面側に誘い込まれるから、突出テーパ部の内部にスムーズに進入することができる。
【００１１】
（２）前記フード部から前記突出テーパ部の前端の位置またはそれよりも前方の位置まで突出する突出保護部をさらに備える。
【００１２】
上記構成によれば、例えばコネクタの前端を床面などに当接させた場合に、突出保護部が突出テーパ部と同時かそれよりも先に床面に当接し床面からの衝撃を受ける。したがって、突出テーパ部の破損を防ぐことができる。
【発明の効果】
【００１３】
本明細書に開示された技術によれば、コネクタを拡径方向に大型化することなく、相手側コネクタを誘い込み可能な範囲を広げることができる。
【図面の簡単な説明】
【００１４】
【図１】実施形態のコネクタおよび相手側コネクタの斜視図
【図２】コネクタおよび相手側コネクタの上面図
【図３】コネクタおよび相手側コネクタの側面図
【図４】相手側コネクタを嵌合側から見た図
【図５】コネクタを嵌合側から見た図
【図６】図２のＡ−Ａ断面図
【図７】相手側コネクタが上方にずれた位置に配された状態を示す図
【図８】コネクタと相手側コネクタの嵌合開始状態を示す上面図
【図９】図８のＢ−Ｂ断面図
【図１０】相手側コネクタにおいて係止解除が開始される状態を示す側面図
【図１１】相手側コネクタにおいて係止解除が開始される状態を図１０のＣ−Ｃ線で一部切り欠いた上面図
【図１２】図１１のＤ−Ｄ断面図
【図１３】コネクタと相手側コネクタとが嵌合完了した状態を示す側面図
【図１４】コネクタと相手側コネクタとが嵌合完了した状態を図１３のＥ−Ｅ線で一部切り欠いた上面図
【図１５】コネクタと相手側コネクタとの嵌合が完了した状態を示す縦断面図
【発明を実施するための形態】
【００１５】
＜実施形態１＞
実施形態１を、図１から図１５によって説明する。本実施形態は、機器モジュール用の雄コネクタ１０（コネクタの一例）であって、図示しない機器モジュールに組み付けられた状態で、図示しない車両用のインストルメントパネルに組み付けられた相手側コネクタ１００に接続して使用される。以下の説明においては、雄コネクタ１０と相手側コネクタ１００との嵌合方向を基準として、それぞれにおいて互いに近づける方向を前方とし、その反対方向を後方として説明する。また雄コネクタ１０および相手側コネクタ１００の上下方向については、図１を基準として説明する。
【００１６】
（全体構成）
（相手側コネクタ１００）
相手側コネクタ１００は、図１に示すように、扁平な直方体形状をなす雌ハウジング１１０と、カム板１３０と、インストルメントパネルに取り付けられる待ち受けハウジング１２０と、によって構成されている。
【００１７】
雌ハウジング１１０には、図４に示すように、前後に延びる複数のキャビティ１１１が設けられ、それぞれの内部には雌端子１５０が前方に延びて配されている。雌ハウジング１１０の外周面１１０Ａには、図２に示すように、複数（本実施形態では２条）の位置決めリブ１１２（相手側突起の一例）と、複数（本実施形態では２つ）の係止爪１１３とが設けられている。
【００１８】
位置決めリブ１１２は、フード部３０に対して雌ハウジング１１０を所定の位置に位置決めするためのものである。各位置決めリブ１１２は、図３に示すように、雌ハウジング１１０の上面１１０Ｕから上方（拡径方向の一例）に突出し、前後に延びる突条形状をなしている。各位置決めリブ１１２の前端は、前方に向かって雌ハウジング１１０の上面１１０Ｕからの突出寸法が小さくなるテーパ形状をなしている。
【００１９】
係止爪１１３は、図３に示すように、雌ハウジング１１０の側面に設けられ、それぞれ外側方に突出している。各係止爪１１３のうち上部略１／３および下部略１／３は、図２に示すように、前端および後端のそれぞれに向かって、雌ハウジング１１０の側面側に傾斜するテーパ形状とされている。
【００２０】
カム板１３０は、図１および図４に示すように、板形状をなして雌ハウジング１１０の上面１１０Ｕおよび下面１１０Ｌに沿って配されている。カム板１３０の前端側には、図１に示すように、前方に開口するカム溝１３１が設けられている。カム板１３０は、雌ハウジング１１０が雄コネクタ１０内に押し込まれたときに、カム溝１３１が雄コネクタ１０のカム軸３４と噛み合うことで回動し、雌ハウジング１１０を相対的に待ち受けハウジング１２０の内部に引き込むようになっている。
【００２１】
待ち受けハウジング１２０は、図１に示すように、雌ハウジング１１０の全体と上下二枚のカム板１３０の全体とを内部に収容可能な角筒形状をなしている。相手側コネクタ１００が雄コネクタ１０と嵌合しない状態においては、雌ハウジング１１０は後端側の略１／３の部分のみが待ち受けハウジング１２０の内部に収容され、他の部分は待ち受けハウジング１２０から前方に突出している。
【００２２】
押し込み規制壁１２１は、図１１に示すように、前後に長い帯板形状をなし、待ち受けハウジング１２０の内側壁を基端として待ち受けハウジング１２０の内部空間を後方から前方に向かって延び、図３に示すように、待ち受けハウジング１２０の前端から僅かに突出している。図４に示すように、押し込み規制壁１２１の前端のうち、上下方向における中央部分は、雌ハウジング１１０の係止爪１１３が係止する係止受部１２１Ａとされ、その上下の部分は、図２および図１１に示すように、前方に向かって外側方（雌ハウジング１１０から離間する方向）に傾斜するテーパ形状の解除受部１２１Ｂとなっている。相手側コネクタ１００が雄コネクタ１０と嵌合しない状態においては、図３に示すように、係止受部１２１Ａの前方には係止爪１１３が対向配置されている。これにより、雌ハウジング１１０は、待ち受けハウジング１２０の内部へのそれ以上の押し込みが規制された状態に保持されている。
【００２３】
（雄コネクタ１０）
雄コネクタ１０は、図１に示すように、前方に開口する扁平な箱形状をなして前方に開口する雄ハウジング本体２０と、図５に示すように、タブ形状をなす複数の雄端子７０と、雌ハウジング１１０が前方から進入可能なフード部３０とを備えている。
【００２４】
（フード部３０）
フード部３０は、雄ハウジング本体２０の内部に設けられた角筒形状をなす中空体であり、雄ハウジング本体２０の奥壁から雄ハウジング本体２０の前端よりも前方に延びて前方に開口している。図１に示すように、フード部３０の両側端は、その間の部分から段差を経て上下に突出している。雄端子７０は、図６に示すように、雄ハウジング本体２０によって保持され、フード部３０の内部において前方に向かって延びている。
【００２５】
フード部３０には、ガイド突部４０と、突出テーパ部５０と、突出保護部６０とがそれぞれ複数設けられている。
【００２６】
（ガイド突部４０）
ガイド突部４０は、フード部３０の上壁３１に２条設けられている。ガイド突部４０は、それぞれ上壁３１の上面３０Ｕよりも上方（フード部３０の拡径方向の一例）に突出し、前後に延びる突条形状をなしている。
【００２７】
（突出テーパ部５０）
各突出テーパ部５０は、図１および図６に示すように、各ガイド突部４０を前方に向かって延出させた形状をなしている。各突出テーパ部５０は、図５に示すように、一対の突出側壁５２と、各突出側壁５２の上端同士を連結する突出上壁５１と、各突出側壁５２に形成された延長テーパ面５３と、各突出側壁５２および突出上壁５１のそれぞれに設けられた延長内周テーパ面５４とを備えている。
【００２８】
（延長テーパ面５３）
延長テーパ面５３は、各突出側壁５２の前端に形成され、図６に示すように、突出側壁５２の前端に向かってフード部３０の拡径方向に傾斜するテーパ形状をなしている。言い換えれば、延長テーパ面５３は、突出側壁５２の前端を、上端側が下端側よりも前方に突出するテーパ形状とすることによって形成されている。下端側本実施形態においては、延長テーパ面５３はフード部３０の前端から突出側壁５２の前端まで延びている。
【００２９】
（延長内周テーパ面５４）
延長内周テーパ面５４は、突出テーパ部５０の内周面の前端に形成され、前端に向かって各ガイド溝４１の拡径方向に傾斜するテーパ形状をなしている。言い換えれば、延長内周テーパ面は、突出テーパ部５０の前端を、外周面側が内周面側よりも前方に突出するテーパ形状とすることによって形成されている。本実施形態においては、延長内周テーパ面５４は、各突出側壁５２および突出上壁５１に形成され、図５に示すように、前方からみてガイド溝４１を包囲する形態とされている。
【００３０】
（ガイド溝４１）
各ガイド突部４０および各突出テーパ部５０には、雌ハウジング１１０の位置決めリブ１１２を収容するためのガイド溝４１が形成されている。ガイド溝４１は各ガイド突部４０から突出テーパ部５０の前端まで延び、前方および下方に向かって開口する溝形状をなしている。ガイド溝４１の内部空間は、フード部３０の内部空間と連通している。
【００３１】
（突出保護部６０）
突出保護部６０は、図１に示すように、フード部３０の両側端部から前方に突出している。雄ハウジング本体２０の前後方向における各突出保護部６０の前端の位置は、図２に示すように、各突出テーパ部５０の前端の位置と同じとされている。
【００３２】
（係止解除部６１）
突出保護部６０の前端において、図５に示すように、フード部３０の上壁３１および下壁３３から段差をなす部分には、外側方に向かって突出する係止解除部６１が設けられている。係止解除部６１は、図１および図１１に示すように、前端に向かって内側方側に傾斜するテーパ形状をなしており、後述するように、雌ハウジング１１０と待ち受けハウジング１２０との係止状態を解除するための係止解除手段となっている。
【００３３】
（相手側コネクタ１００との嵌合）
次に、雄コネクタ１０と相手側コネクタ１００とを接続する際に上述の構成が奏する作用を説明する。
【００３４】
図７に示すように、雌ハウジング１１０がフード部３０に対し、フード部３０の上壁３１の板厚よりも上方にずれた位置から進入しようとした場合、雌ハウジング１１０は上壁３１の上面３０Ｕよりも上方に設けられた突出テーパ部５０に前方から当接し、突出テーパ部５０の延長テーパ面５３に沿って、フード部３０の内周面３０Ｂ側に誘い込まれる。これにより、雌ハウジング１１０は、図９に示すように、雌ハウジング１１０の上面１１０Ｕがフード部３０の内周面３０Ｂと同じ高さ位置に到達する。これとともに、雌ハウジング１１０の位置決めリブ１１２が、突出テーパ部５０の突出側壁５２に設けられた延長内周テーパ面５４（図１１参照）に沿って、左右方向における正規位置に向かって誘い込まれるとともに、各突出テーパ部５０の突出上壁５１に設けられた延長内周テーパ面５４（図９参照）に沿って、拡径方向における正規位置に向かってさらに誘い込まれる。これにより、図８および図９に示すように、雌ハウジング１１０の前端がフード部３０の開口に嵌った嵌合開始位置への誘い込みが完了する。
【００３５】
そして、雌ハウジング１１０を嵌合開始位置からフード部３０に向かって押圧すると、図１１に示すように、雌ハウジング１１０は、位置決めリブ１１２がガイド溝４１の内部に進入することで、前後方向、上下方向、および左右方向における傾きが矯正されつつ、フード部３０内の奥方へ進入する。このとき、フード部３０の係止解除部６１は、雌ハウジング１１０の係止爪１１３の上下を通過する。そして、図１１に示すように、係止解除部６１が押し込み規制壁１２１の解除受部１２１Ｂに対向配置されるとともに、各カム板１３０のカム溝１３１がフード部３０のカム軸３４と噛み合い、雌ハウジング１１０が待ち受けハウジング１２０内への引き込みが開始される引き込み開始状態となる。
【００３６】
そして、引き込み開始状態からさらに雌ハウジング１１０をフード部３０に向かって押圧すると、係止解除部６１が解除受部１２１Ｂと雌ハウジング１１０の側壁との間に割り込み、押し込み規制壁１２１全体を外側方に変位させることで、係止受部１２１Ａが係止爪１１３との係止位置から押し出され、これらの係止状態が解除される。これとともに、カム板１３０が回転し、雌ハウジング１１０を待ち受けハウジング１２０内に引き込む。
【００３７】
これにより、図１３から図１５に示すように、待ち受けハウジング１２０と雄ハウジング本体２０とが前後方向において直近に対向配置され、それらの内部において、雌ハウジング１１０のうち前側がフード部３０内に収容されて雄端子７０と雌端子１５０とが導電可能に接続されるとともに、雌ハウジング１１０のうち後側が待ち受けハウジング１２０内に収容された嵌合完了状態となる。
【００３８】
ところで、フード部３０の奥方には前述のように、雄端子７０が板面を水平状態にして前方に突出配置されている。これに対して雌端子１５０が左右方向の中心と上下方向の中心とを通る軸線を中心として周方向に傾いた状態で当接した場合には、雄端子７０がこじるように押圧され破損してしまう懸念がある。
【００３９】
そこで、本実施形態のフード部３０の下壁３３には、図１、図５、および図６に示すように、補助突部８０および補助突出テーパ部９０が設けられている。補助突部８０は、ガイド溝を備えない点においてガイド突部４０と相違し、他の点においてはガイド突部４０と同様の形状をなしている。補助突出テーパ部９０は、突出テーパ部５０と同様の形状をなし、延長テーパ面５３と同様に補助延長テーパ面９０Ａを備えて、補助突出テーパ部９０から前方に突出している。
【００４０】
雌ハウジング１１０が周方向に傾いた位置ずれ状態でフード部３０に進入しようとした場合、雌ハウジング１１０の上端は突出テーパ部５０に当接して下方に誘い込まれ、雌ハウジング１１０の下端は補助突出テーパ部９０に当接して上方に誘い込まれる。これにより、雌ハウジング１１０は周方向の傾きが矯正された水平姿勢で、フード部３０の内部に進入することができる。これにより、雄端子７０の破損を防ぐことができる。
【００４１】
（作用効果）
本実施形態１の構成によれば、相手側コネクタ１００が前方から内部に進入可能なコネクタ（雄コネクタ１０）であって、相手側コネクタ１００が内部に進入可能な筒形状をなすフード部３０と、前記フード部３０から前記フード部３０の外周面３０Ａよりも拡径方向に突出し、内部に前記相手側コネクタ１００の外周面１１０Ａに突設された相手側突起（位置決めリブ１１２）が進入可能な溝形状をなすガイド溝４１が設けられたガイド突部４０と、前記ガイド突部４０から前記フード部３０の前端（フード前端３０Ｆ）よりも前方に突出し、前記フード部３０の内周面３０Ｂから前方に向かって前記拡径方向に延びる延長テーパ面５３を有する突出テーパ部５０とを備える。
【００４２】
この構成によれば、相手側コネクタ１００がフード部３０からフード部３０の板厚を超えてずれた位置からコネクタ１０の内部に進入しようとした場合、フード部３０の外周面３０Ａよりも拡径方向に突出する延長テーパ面５３に当接し、フード部３０側に誘い込まれる。従って、例えばテーパ面がフード部の前端における板厚の範囲内で設けられた場合よりも広い範囲に亘って相手側コネクタ１００を誘い込むことができる。しかも、突出テーパ部５０は相手側突起１１２が内部に進入可能なガイド溝４１が設けられたガイド突部４０から前方に突出した形態とされているから、コネクタ１０を拡径方向に大型化する必要がない。
【００４３】
前記突出テーパ部５０には、外周面５０Ａ側が内周面５０Ｂ側よりも前方に突出するテーパ形状をなす延長内周テーパ面５４が設けられている。
この構成によれば、延長テーパ面５３によってフード部３０側に誘い込まれた相手側突起１１２は、さらに延長内周テーパ面５４によって突出テーパ部５０の外周面５０Ａ側から内周面５０Ｂ側に誘い込まれるから、突出テーパ部５０の内部にスムーズに進入することができる。
【００４４】
前記フード部３０から前記突出テーパ部５０の前端の位置またはそれよりも前方の位置まで突出する突出保護部６０をさらに備える。
【００４５】
上記構成によれば、例えばコネクタ１０を前端側を下にして床面に取り落とした場合に、突出保護部６０が突出テーパ部５０と同時かそれよりも先に床面に当接し床面からの衝撃を受ける。したがって、突出テーパ部５０の破損を防ぐことができる。
【００４６】
＜他の実施形態＞
本明細書に開示された技術は上記記述及び図面によって説明した実施形態１に限定されるものではなく、例えば次のような形態で実施することが可能である。
【００４７】
（１）上記実施形態１においては、フード部３０には補助突部８０および補助突出テーパ部９０とを備える構成としているが、補助突部８０および補助突出テーパ部９０を備えない構成としてもよい。
（２）上記実施形態１においては、フード部３０の上面３０Ｕよりも上方に突出する突出テーパ部５０を２つ設けた構成としているが、フード部３０においてこれらを設ける部位および数はこの限りではない。例えば、突出テーパ部５０をフード部３０の両外側面に一つずつ設けた構成としてもよく、また、上面側、下面側、および両外側面に一つずつ設けた構成としてもよく、さらにはフード部３０の角部に設けた構成としてもよい。
【００４８】
（３）上記実施形態１においては、各突出テーパ部５０は一対の突出側壁５２と突出上壁５１とによって構成されているが、突出テーパ部５０の形状はこの限りではない。例えば、突出上壁５１を備えない構成としてもよく、または突出テーパ部５０が全体として前方から見て下方に開口する半円形状をなす構成としてもよい。
【００４９】
（４）上記実施形態１においては、突出テーパ部５０には延長内周テーパ面５４が設けられた構成としているが、例えば突出テーパ部５０の延長テーパ面５３によって十分な位置決めがなされる場合には、延長内周テーパ面５４を設けない構成としてもよい。これにより、突出テーパ部５０の前端における板厚を確保し、前方からの衝撃に対する強度を高めることができる。
【００５０】
（５）上記実施形態１においては、雄コネクタ１０の前後方向においてフード部３０から突出テーパ部５０の前端の位置と同じ位置まで突出する突出保護部６０を備える構成としているが、突出保護部６０が突出テーパ部５０の前端の位置よりも前方に突出する構成としてもよい。また、例えば突出テーパ部５０が所望される強度を有する場合には、突出保護部６０を備えない構成としてもよい。
【符号の説明】
【００５１】
１０：  雄コネクタ（コネクタ）
３０：  フード部
３０Ａ：  外周面
３０Ｆ：  フード前端
４０：  ガイド突部
４１：  ガイド溝
５０：  突出テーパ部
５０Ａ：  外周面
５０Ｂ：  内周面
５３：  延長テーパ面
５４：  延長内周テーパ面
６０：  突出保護部
１００：  相手側コネクタ
１１０Ａ：  外周面
【図１】
0006988596.tif 000002
【図２】
0006988596.tif 000003
【図３】
0006988596.tif 000004
【図４】
0006988596.tif 000005
【図５】
0006988596.tif 000006
【図６】
0006988596.tif 000007
【図７】
0006988596.tif 000008
【図８】
0006988596.tif 000009
【図９】
0006988596.tif 000010
【図１０】
0006988596.tif 000011
【図１１】
0006988596.tif 000012
【図１２】
0006988596.tif 000013
【図１３】
0006988596.tif 000014
【図１４】
0006988596.tif 000015
【図１５】
0006988596.tif 000016